(57)【特許請求の範囲】
【請求項１】
途中に合流管又は分岐管を備えた排水管の、少なくとも１つの前記合流管又は分岐管の接続位置を挟んだ上流側の第１の箇所と下流側の第２の箇所のうち前記第１の箇所に、低反発性材料からなる試験体を投入する第１のステップと、
前記第２の箇所で、前記第１の箇所に投入した前記試験体を回収したか否かを判定する第２のステップと、
を含み、
前記低反発性材料は、球体に形成し、当該球体をコンクリート製の床に１００ｃｍの高さから落下させたときの反発高さが１０ｃｍ以下であることを特徴とする排水管の通水試験方法。
【請求項２】
請求項１に記載の排水管の通水試験方法であって、
前記試験体は、熱可塑性振動吸収材からなる
ことを特徴とする排水管の通水試験方法。
【請求項３】
請求項２に記載の排水管の通水試験方法であって、
前記試験体は、エラステージ（登録商標）からなる
ことを特徴とする排水管の通水試験方法。
【請求項４】
請求項１ないし請求項３のいずれか一項に記載の排水管の通水試験方法であって、
前記試験体は、球体である
ことを特徴とする排水管の通水試験方法。
【請求項５】
請求項１ないし請求項３のいずれか一項に記載の排水管の通水試験方法であって、
前記試験体は、その中心から周縁に行くほど肉薄になる形状を有する
ことを特徴とする排水管の通水試験方法。
【請求項６】
請求項１ないし請求項５のいずれか一項に記載の排水管の通水試験方法であって、
前記試験体は、当該試験体に固有のＩＤ又は前記第１の箇所を示す情報を書き込み可能なＩＣタグを備え、
前記第２のステップは、前記第２の箇所に設置されたタグリーダが前記ＩＤ又は前記情報を読み取って判定することによって行われる
ことを特徴とする排水管の通水試験方法。
【請求項７】
排水管の通水試験に用いられる試験体であって、
球体に形成し、当該球体をコンクリート製の床に１００ｃｍの高さから落下させたときの反発高さが１０ｃｍ以下である低反発性材料からなる
ことを特徴とする排水管の通水試験体。
【請求項８】
請求項７に記載の排水管の通水試験体であって、
熱可塑性振動吸収材からなる
ことを特徴とする排水管の通水試験体。
【請求項９】
請求項８に記載の排水管の通水試験体であって、
エラステージ（登録商標）からなる
ことを特徴とする排水管の通水試験体。
【請求項１０】
請求項７ないし請求項９のいずれか一項に記載の排水管の通水試験体であって、
球体である
ことを特徴とする排水管の通水試験体。
【請求項１１】
請求項７ないし請求項９のいずれか一項に記載の排水管の通水試験体であって、
その中心から周縁に行くほど肉薄になる形状を有する
ことを特徴とする排水管の通水試験体。
【請求項１２】
請求項７ないし請求項１１のいずれか一項に記載の排水管の通水試験体であって、
当該通水試験体に固有のＩＤ又は前記排水管に当該通水試験体を投入する箇所を示す情報を書き込み可能なＩＣタグを備える
ことを特徴とする排水管の通水試験体。
【発明の詳細な説明】
【技術分野】
【０００１】
本発明は、排水管の通水試験に適用する通水試験方法及び通水試験体に関する。
【背景技術】
【０００２】
従来、排水通水試験を実施する場合には、排水管内に水とともに試験体を流し、その試験体を下流で回収することによって、排水管の施工状態の良否を判定している。試験体には、穴あきゴルフ練習球やゴムボール（スーパーボール）が一般的に使われている（特許文献１参照）。
【特許文献１】特開２００６−２９９７０９号公報（段落［００３８］）
【発明の開示】
【発明が解決しようとする課題】
【０００３】
しかしながら、排水管が途中で合流又は分岐している場合には、試験体が合流管又は分岐管に入ってしまい、下流の回収地点に着かないことがあった。この場合、再度の試験とともに、未回収の試験体を追い水で流し出す作業が必要となる。
【０００４】
本発明は、上記課題を鑑みてなされたものであり、その主たる目的は、排水通水試験において、試験体が排水管の途中の合流管又は分岐管に入らないようにすることにある。
【課題を解決するための手段】
【０００５】
上記課題を解決するために、本発明は、排水管の通水試験方法であって、途中に合流管又は分岐管を備えた排水管の、少なくとも１つの前記合流管又は分岐管の接続位置を挟んだ上流側の第１の箇所と下流側の第２の箇所のうち前記第１の箇所に、低反発性材料からなる試験体を投入する第１のステップと、前記第２の箇所で、前記第１の箇所に投入した前記試験体を回収したか否かを判定する第２のステップとを含み、前記低反発性材料は、球体に形成し、当該球体をコンクリート製の床に１００ｃｍの高さから落下させたときの反発高さが１０ｃｍ以下であることを特徴とする。
この方法によれば、排水通水試験に低反発性材料からなる試験体を用いることによって、排水管内において試験体が合流管又は分岐管に入りにくくなるので、下流の箇所における試験体の回収率がよくなり、排水通水試験を効率よく行うことができる。
【０００６】
また、本発明は、排水管の通水試験方法であって、前記試験体が、熱可塑性振動吸収材からなることを特徴とする。  
この方法によれば、試験体に熱可塑性振動吸収材からなる球体を用いるため、特に試験体の反発係数が小さくなるので、さらに下流の箇所における試験体の回収率がよくなる。
【０００７】
また、本発明は、排水管の通水試験方法であって、前記試験体が、エラステージ（登録商標）からなることを特徴とする。
【０００８】
また、本発明は、排水管の通水試験方法であって、前記試験体が、球体であることを特徴とする。  
この方法によれば、試験体が球体であるので、排水管内における試験体の流れが円滑になる。
【０００９】
また、本発明は、排水管の通水試験方法であって、前記試験体が、その中心から周縁に行くほど肉薄になる形状を有することを特徴とする。  
この方法によれば、当該試験体は、上記の形状を有するので、排水管の一部を構成する排水継手の内管面に湾曲した旋回羽根が設けられていたとしても、旋回羽根に方向変更された排水の流れに従って回転し、その旋回羽根に引っ掛かることなく排水管の下まで落ちていく。また、横主管では、その底面と当該試験体周縁との間にすきまができるので、そのすきまに水が入り込むことによって当該試験体が浮き上がり、排水の流れに乗ってスムーズに下流へ移動する。
【００１０】
また、本発明は、排水管の通水試験方法であって、前記試験体が、当該試験体に固有のＩＤ又は前記第１の箇所を示す情報を書き込み可能なＩＣタグを備え、前記第２のステップは、前記第２の箇所に設置されたタグリーダが前記ＩＤ又は前記情報を読み取って判定することによって行われることを特徴とする。  
この方法によれば、試験体がＩＣタグを備えることによって、排水管の下流の箇所に設置されたタグリーダが、試験体のＩＣタグに書き込まれたＩＤ又は情報を読み取るので、自動的に試験体が想定通りに回収されたか否かを判定することができる。
【００１２】
なお、本発明は、排水管の通水試験体を含む。その他、本願が開示する課題及びその解決方法は、発明を実施するための最良の形態の欄、及び図面により明らかにされる。
【発明の効果】
【００１３】
本発明によれば、排水通水試験において、試験体が排水管の途中の合流管又は分岐管にほとんど入らないようにすることができる。
【発明を実施するための最良の形態】
【００１４】
以下、図面を参照しながら、本発明を実施するための最良の形態を説明する。本実施の形態では、低反発性材料からなる試験体を排水管の上流の箇所に投入し、排水管の下流の箇所で当該試験体の回収を確認するものである。試験体の投入及びその回収によって排水管内の施工状態の良否を判定することができる。
【００１５】
＜＜第１実施形態＞＞
まず、本発明の第１実施形態について説明する。  
図１は、排水管の合流部又は分岐部に設けられる排水継手の一例の外観を示す図であり、同図（ａ）は斜視図であり、同図（ｂ）は平面図である。ここでは、排水継手３として、積水化学工業（株）の「ＡＤスリム継手ハイパワー１００Ａ（超高層対応用）」を例にとる。排水継手３は、３方向（Ｓ方向、Ｇ方向、Ｒ方向）の接続部３１を備えており、この接続部３１に接続される合流管により便器などからの排水を受けるようになっている。ただし、本発明は排水管が合流管を備える場合に限らず、排水が分岐して流れる分岐管を備える場合にも適用可能である。図１（ｂ）に示すように、排水継手３の内部の、接続部３１付近に旋回羽根３２が備え付けられている。旋回羽根３２は、垂設された排水管内に上から下へ水を流した場合に、水が旋回しながら流れ落ちるようにするものである。これは、水を旋回させることによって、排水管の中心部に空間（空気の通り道）を確保し、水と空気を分離して流すことを意図したものである。
【００１６】
本実施の形態の排水通水試験においては、試験体が旋回羽根３２に当たるなどによって合流管又は分岐管に飛び込むことがあり、排水管に異常がないにもかかわらず、排水管の下流において試験体を回収できないことがあるという問題を解消するために、従来のゴルフ練習球やスーパーボールに代えて、低反発性材料からなる試験体（以下、低反発性試験球という）を使用する。反発係数の低い材料を試験体に用いることによって、その試験体が旋回羽根３２に当たったとしても、はね返ることなく下に落ちていくので、分岐管に飛び込むことは少なくなると考えられる。試験体の形状については、立方体や球体などいろいろな形が適用可能であるが、排水管の下流における試験体の回収を効率よく行うためには、球体が望ましい。
【００１７】
低反発性材料の実施例としては、太平化学製品株式会社製のエラステージ（登録商標）ＥＤシリーズが適用可能である。エラステージＥＤシリーズは、熱可塑性振動吸収材であり、具体的には、エステル系ポリマー、ハロゲン系ポリマーをはじめとする複数のポリマーからなる種々の機能を有したポリマーアロイ型の材料であって、極めてゴムに近い性質を示す。また、熱可塑性を有するためリサイクルが可能である。
【００１８】
以下、排水通水試験を模擬した比較実験及びその結果について説明する。なお、本実験は、試験体として、本発明の低反発性試験球を用いた場合（実施例）、ゴルフ練習球を用いた場合（比較例１）、スーパーボールを用いた場合（比較例２）について実施した。
【００１９】
≪排水管の構成≫
図２は、比較実験で用いた排水管の構成を示す図である。実験配管（排水管１）は、排水立て管２と、２階以上の各階に設けられた排水継手３と、排水立て管２の１階部分に脚部継手４を介して接続された横主管５とにより構成されている。また、図３は、１７階の排水継手３及び便器６の接続状態を示す図である。さらに、図４は、横主管５及びその周辺の構成を示す図である。
【００２０】
排水立て管２は、内径が１００ｍｍの排水用硬質塩化ビニルライニング鋼管である。排水継手３（図１参照）は、内径が１００ｍｍである。図３に示すように、実験配管の１７階の排水継手３は、便器６（第１の箇所）に接続される。各階の排水継手３には、２つの接続部３１（Ｓ方向及びＧ方向）に試験体回収用の短管（Ｌ＝２００ｍｍの横枝管）及び袋体が設置される。残りの接続部３１（Ｒ方向）は、塞がれている。２階の排水継手３では、さらに、Ｓ方向の接続部３１に短管を設置することなく塞ぐものとする。横主管５は、内径が１２５ｍｍの透明の塩化ビニル管である。図４に示すように、横主管５の末端部は、試験体回収位置５１（第２の箇所）であり、その先には排水槽７（図２）が設置されている。
【００２１】
≪比較実験の方法≫
比較実験の目的は、試験体の種類の違いによって試験体の回収状況がどう変わるかを観測し、その結果により本発明に係る低反発性試験球の効果を確認することである。上記のように、試験体には、ゴルフ練習球（直径４１．５ｍｍ、比較例１）、スーパーボール（直径２５．９ｍｍ、比較例２）及び低反発性試験球（直径２４．９ｍｍ、実施例）を用いる。以下に、実験の手順を示す。  
（１）１７階の便器６の奥側に１の試験体をセットする。  
（２）便器６の大側排水（８Ｌ／回）を行う。  
（３）（１）及び（２）を繰り返す。  
（４）横主管５の試験体回収位置５１において、試験体を回収する。試験体を回収できなければ、各階における横枝管の袋の中にあるか否かを確認し、その階及び個数を記録する。
【００２２】
なお、試験体に、当該試験体に固有のＩＤ又は当該試験体を投入した箇所を示す情報を書き込み可能なＩＣタグを付して、（４）における試験体の確認を、横主管５の試験体回収位置５１に設置されたタグリーダがＩＤ又は上記情報を読み取って判定することによって行うようにしてもよい。これによれば、自動的に試験体が想定通りに回収されたか否かを確認することができる。
【００２３】
≪比較実験の結果及びその考察≫
図５は、比較実験の結果を示す図である。比較実験の結果は、試験体の途中階におけるＧ、Ｓ各方向の横枝管への飛び込み数である。
【００２４】
図５の結果を、試験体の種類ごとに集約したものを表１に示す。
【表１】
0004973457.tif 000002
【００２５】
この結果によれば、低反発性試験球は、ゴルフ練習球及びスーパーボールと比較した場合に、明らかに横枝管への飛び込みを抑止できることが分かる。これにより、低反発性試験球は、排水通水試験に使用する試験体として、下流における回収を効率よく行うことができると言える。
【００２６】
≪反発高さの測定と考察≫
各試験体の反発性を確認するために、反発高さ（跳ね返った床上最高高さ）を測定した。以下に、具体的な測定方法を示す。  
（１）コンクリート製の床を使用する。  
（２） 床上高さ１００ｃｍから試験体を自由落下させる。  
（３）ビデオ撮影によりメジャーの目盛から反発高さを読取る。  
（４）各試験体について１０回ずつ測定し、平均値は最大値と最小値を除いた８回の平均をとる。
【００２７】
その結果を、以下の表２に示す。
【表２】
0004973457.tif 000003
【００２８】
この結果によれば、低反発性試験球の反発高さは１０ｃｍ以下（より詳細には、７ｃｍ以下）であって、おおむね５〜６ｃｍであり、ゴルフ練習球と比較しても１０分の１程度である。なお、低反発性試験球の４回目は、比較的大きく反発した。これは、ちょうどＩＣタグの挿入口で硬くなっている部分が床面と接触したためであり、低反発性試験球の材料自体の特性を示すものではないと考えられる。ゴルフ練習球は、穴あき形状のため、跳ね方にばらつきがある。この結果に従えば、低反発性材料とは、その材料で作成した試験球を高さ１００ｃｍからコンクリート製の床に自由落下させた場合に、その試験球の反発高さが１０ｃｍ以下となる材料であると言うことができる。
【００２９】
以上説明した第１実施形態によれば、排水通水試験に低反発性材料からなる試験体を用いることによって、排水管１内において試験体が合流管又は分岐管にほとんど入らなくなるので、下流の箇所における試験体の回収率がよくなり、排水通水試験を効率よく行うことができる。
【００３０】
＜＜第２実施形態＞＞
次に、本発明の第２実施形態について説明する。本実施形態においては、（株）クボタ製の排水継手「ＨＦ形集合管」を用いて行った実験の内容を示す。
【００３１】
図６は、本実施形態で用いた排水継手３ａの一例を示す図である。図６（ａ）は排水継手の縦断面図であり、（ｂ）は排水継手の平面図であり、（ｃ）は断面Ａ−Ａを示す図であり、（ｄ）は断面Ｂ−Ｂを示す図である。図６（ａ）に示すように、排水継手３ａは、横枝管を接続するための接続部３３が形成された合流部分に第１旋回羽根３４が設けられ、さらに合流部分の下方に位置する箇所に第２旋回羽根３５が設けられている。第１旋回羽根３４は、上記第１実施形態における排水継手３の旋回羽根３２（図１参照）と同様の平板形状を有する。一方、第２旋回羽根３５は、後述するように湾曲した形状を有する。排水継手３ａは、排水を第１旋回羽根３４で第２旋回羽根３５へ誘導し、第２旋回羽根３５で旋回流にして、排水立て管２ａ（図７参照）へスムーズに排水する。
【００３２】
第２旋回羽根３５は、排水管の径方向内方へ向けて突設されている。そして、図６（ｄ）に示すように、第２旋回羽根３５の受水面３５ａは、排水継手３ａの管内面３６との接続部である根元部３５ｂと、管内面３６から離れた突端部３５ｃとを備える。受水面３５ａの一部又は全部には、排水の流れを受水面３５ａの根元部３５ｂ側へ向ける指向手段３５ｄが設けられている。第２旋回羽根３５の受水面３５ａは、その長手方向の一部又は全部が凹状湾曲面に形成されている。すなわち、指向手段３５ｄは、凹状湾曲面により形成されている。図６（ｄ）に示すように、受水面３５ａは、管内面３６側の根元部３５ｂから突端部３５ｃへ向けて徐々に一方側へ湾曲するようになった断面形状に形成されている。そして、この内曲がりとなる方の面（指向手段３５ｄ）により、排水流は方向を変えて旋回流となる。なお、第２旋回羽根３５（旋回羽根）に関する詳細は、特開２００１−２０８２７０号公報を参照されたい。
【００３３】
図７は、実験で用いた排水管の構成を示す図である。排水管１ａは、排水立て管２ａと、２階以上の各階に設けられた排水継手３ａと、排水立て管２ａの１階部分に脚部継手４ａを介して接続された横主管５ａと、横主管５ａの末端部に設置された排水槽７ａとにより構成されている。実験では、試験体を１０Ｆの便器６ａから入れて、排水槽７ａに到達すればＯＫとする。排水槽７ａに到達しなければＮＧとするが、その場合には試験体がどこかに引っ掛かっているはずなので、その場所を特定する。試験体が引っ掛かり易いのは、例えば、各階の排水継手３ａの横枝管や第２旋回羽根３５である。
【００３４】
図８は、実験で用いた試験体の形状を示す図である。図８に示す試験体は、いずれも抵反発性材料からなり、３０ｍｍ強の内径の排水管に入れることができるという制約条件を満足する形状を有する。なお、図８の破線は、試験体に挿入されたＩＣタグの概観を示す。図８（ａ）の試験体は、直径３０ｍｍの球である。これは、第１実施形態の試験体より少し直径を大きくしたものである。図８（ｂ）の試験体は、長さ４０ｍｍ及び直径１０ｍｍのカプセル型（両端が球面状に形成された棒型）である。図８（ｃ）の試験体は、最大幅３０ｍｍ、最小幅２０ｍｍ及び厚さ１０ｍｍの扁平楕円球（小判型）である。楕円球とは、楕円を長軸又は短軸を回転軸として回転したときにできる回転体のことであり、ここでいう扁平楕円球とは、楕円球を回転軸と直角をなす方向に縮小した形状の立体である。なお、試験体は、必ずしも扁平楕円球でなくてもよく、中心から周縁に行くほど肉薄になるように形成されていればよく、その周縁は尖っていても丸まっていてもよい。例えば、碁石やクッションのような形状の立体であってもよい。
【００３５】
実験では、図８に示した試験体以外に、第１実施形態で用いた低反発試験球（直径２４．９ｍｍ）、スーパーボール及びゴルフ練習球も使用した。なお、試験体は、その内部にＩＣタグを挿入する場合があるので、少なくともＩＣタグのサイズ以上の大きさを有し、かつ、網で回収可能な大きさを有するものとし、また、排水槽７ａにおいて人が視認可能であるものとする。さらに、試験体は、横主管５ａを流れる水の力を受けて排水槽７ａまで移動するので、水による浮力等を考慮すると、例えば水深約１０〜２０ｍｍの水中に没して水面から出ない程度の大きさ及び比重を有するのが適当である。
【００３６】
図９は、本実験及び追加実験の結果を示す図である。図９を参照しながら、実験の経過、結果及び考察について説明する。まず、第１実施形態で使用した直径２４．９ｍｍの試験球を用いて排水通水の実験を行った。その結果、図９の９ａ欄に示すように、４０回中７回、試験球が排水継手３ａの第２旋回羽根３５に引っ掛かった。その原因は、排水継手３ａに付設された第２旋回羽根３５が湾曲していて、湾曲した受水面３５ａと管内面３６との間のすきまが下方の位置ほど小さくなる形状になっているので、そこに試験球がはまってしまうからであった。
【００３７】
そこで、図８に示した直径３０ｍｍの球、カプセル型及び扁平楕円球の試験体を用いて再度実験を行った。その結果、図９の９ｂ欄に示すように、直径３０ｍｍの球は、４０回中３回、第２旋回羽根３５に（より正確には、第２旋回羽根３５の受水面３５ａと、管内面３６との間に；以下同様）引っ掛かった（図６（ｄ）参照）。また、図９の９ｃ、９ｄ欄に示すように、カプセル型及び扁平楕円球の試験体は、第２旋回羽根３５に引っ掛かることなく、下流の脚部継手４ａまで流れ落ちた。
【００３８】
その理由は、試験体が直径３０ｍｍの球の場合、直径が２５ｍｍより大きく、受水面３５ａの下部における管内面３６との間のすきまにはまり難くなったと考えられる。なお、球はどの方向から見ても同じ形状なので、排水の流れによって回転したとしても第２旋回羽根３５に対する形状が変化することはなく、球の直径が受水面３５ａの下部のすきまより若干大きい場合に、当該すきまにはまる可能性が最も高い。一方、試験体がカプセル型及び扁平楕円球の場合、その向きによって厚さや長さ等の寸法が異なるので、受水面３５ａの下部のすきまにはまり込もうとしても、指向手段３５ｄによって旋回する排水の流れに従って試験体が向きを変えることによって、当該すきまにはまることなく、そこからすり抜けて落ちて行くと考えられる。そのためには、当該試験体のうち、少なくとも１つの断面のある径が第２旋回羽根３５の下部のすきまより小さいことが必要である。
【００３９】
さらに、横主管５ａにおいて、カプセル型は流れにくく、常に４個前後が６０００ｍｍの横主管５ａ（図７参照）中に残っていた。また、扁平楕円球は流れやすく、すべてが排水槽７ａまで到達した。その理由は、カプセル型の場合、その側面が円筒状なので、長さ方向と水の流れる方向とが一致すると横主管５ａの底面に密着したようになり、水の流れに乗ることなく、底面との間の摩擦力を受けて移動し難いためと考えられる。一方、扁平楕円球の場合、その湾曲した形状のため、方向によらず横主管５ａの底面と扁平楕円球周縁との間にすきまができるので、そのすきまに水が入り込むことによって、扁平楕円球が浮き上がり水の流れに乗ってスムーズに搬送されたと考えられる。なお、球の場合、横主管５ａを一気に転がって排出される場合があった。
【００４０】
図９の９ｅ、９ｆ欄には、試験体としてスーパーボール及びゴルフ練習球を用いた追加実験の結果も示している。スーパーボールやゴルフ練習球が第２旋回羽根３５に引っ掛かることはなかったが、横枝管には飛び込むことがあった。
【００４１】
以上説明した第２実施形態によれば、湾曲した第２旋回羽根３５を有する排水継手３ａを用いた実験では、低反発性材料からなる扁平楕円球の試験体を使用することによって、排水継手３ａの第１旋回羽根３４に当たって横枝管に入り込むことなく、かつ、第２旋回羽根３５に引っ掛かることなく脚部継手４ａまで通過し、さらに横主管５ａの底面に留まることなくその中を排水槽７ａまでスムーズに移動した。ここで、第１実施形態の排水継手３の旋回羽根３２と、第２実施形態の排水継手３ａの第１旋回羽根３４とは、同様の平板形状を有する。従って、低反発性材料からなる扁平楕円球の試験体を使用すれば、積水化学工業（株）の排水継手３においても、旋回羽根３２に当たってはね返って横枝管に飛び込むことはないと推定できる。また、低反発性材料からなる扁平楕円球の試験体を使用すれば、湾曲した旋回羽根を有する他の排水継手においても、旋回羽根に引っ掛かることはないと推定できる。なお、試験体は、必ずしも扁平楕円球でなくてもよく、その中心から周縁に行くほど肉薄になる形状を有する立体であればよい。
【００４２】
以上、本発明を実施するための最良の形態について説明したが、上記実施の形態は本発明の理解を容易にするためのものであり、本発明を限定して解釈するためのものではない。本発明はその趣旨を逸脱することなく変更、改良され得るとともに、本発明にはその等価物も含まれる。
【図面の簡単な説明】
【００４３】
【図１】本発明の第１実施形態で用いた排水継手の一例の外観を示す図であり、（ａ）は斜視図を示し、（ｂ）は平面図を示す。
【図２】排水通水試験を模擬した比較実験で用いた排水管の構成を示す図である。
【図３】１７階の排水継手及び便器の接続状態を示す図である。
【図４】横主管及びその周辺の構成を示す図である。
【図５】比較実験の結果を示す図である。
【図６】本発明の第２実施形態で用いた排水継手の一例を示す図であり、（ａ）は排水継手の縦断面図を示し、（ｂ）は排水継手の平面図を示し、（ｃ）は断面Ａ−Ａを示し、（ｄ）は断面Ｂ−Ｂを示す。
【図７】実験で用いた排水管の構成を示す図である。
【図８】実験で用いた試験体の形状を示す図であり、（ａ）は球の試験体を示し、（ｂ）はカプセル型の試験体を示し、（ｃ）は扁平楕円球の試験体を示す。
【図９】本実験及び追加実験の結果を示す図である。
【符号の説明】
【００４４】
１、１ａ  排水管
２、２ａ  排水立て管
３、３ａ  排水継手
３１    接続部
３２    旋回羽根
３３    接続部
３４    第１旋回羽根
３５    第２旋回羽根
３５ａ  受水面
３５ｂ  根元部
３５ｃ  突端部
３５ｄ  指向手段
３６    管内面
４、４ａ  脚部継手
５、５ａ  横主管
５１    試験体回収位置
６、６ａ  便器
７、７ａ  排水槽
【図２】
0004973457.tif 000004
【図３】
0004973457.tif 000005
【図４】
0004973457.tif 000006
【図５】
0004973457.tif 000007
【図６】
0004973457.tif 000008
【図７】
0004973457.tif 000009
【図８】
0004973457.tif 000010
【図９】
0004973457.tif 000011
【図１】
0004973457.tif 000012